(57)【要約】【課題】  扉のヒンジ取付け部分の変形を確実に防止し、扉全体のガタ、変形の発生を防止できる扉機構を提供すること。【解決手段】  ヒンジ片１３ａが取り付けられた縁部１２ｂと扉面１２ａとの間に筋交い部材２２を取り付け、前記縁部１２ｂと扉面１２ａとを二辺とし、筋交い部材２２を底辺とする三角断面を形成したことにより縁部１２ｂの強度を大幅に増大させたので、ヒンジ１３の取付け部分が変形することはなく、扉１２全体の変形やガタの発生を防止することができる。【選択図】図１
2006019392.tif 000002
【特許請求の範囲】
【請求項１】
扉の一側を、ヒンジにより筐体に取り付け、この筐体の開放面を開閉可能に覆う扉機構であって、
前記扉は、扉面の周囲に奥行方向に折り曲げられた縁部を有し、この縁部には前記ヒンジの一方のヒンジ片が取り付けられており、
かつ、この縁部と扉面との間には、筋交い部材を取り付け、前記縁部と扉面とを二辺とし、筋交い部材を底辺とする三角断面を形成した
ことを特徴とする扉機構。
【請求項２】
筋交い部材は板状を成し、扉の上下方向に沿って設けられ、ヒンジ片取付け部との対向部には、このヒンジ片を避ける切欠きを形成し、ヒンジ片を三角断面内位置させたことを特徴とする請求項１に記載の扉機構。
【発明の詳細な説明】
【技術分野】
【０００１】
本発明は、カード発行機などのように、各種の機器を収容する筐体の開放面を開閉可能に覆う扉機構に関する。
【背景技術】
【０００２】
一般に、金属製の筐体内に電子機器を含む各種の機構を収容し、この筐体の開放面を同じく金属製の扉で開閉可能に覆う構成が、各種装置で採用されている。このような装置では、金属製の扉自体が相当な重量となり、しかも、ヒンジにより片持ち状態で筐体に取り付けられているために、開閉動作が繰り返されると扉に変形が生じ、ガタが発生することになる。これを防止するために補強を加える提案がなされている（例えば、特許文献１参照）。
【０００３】
ところで、近年、磁気情報やＩＣチップ情報などを内蔵したプラスチック製等のカードが、個人情報媒体や経済価値媒体として多用されている。このようなカードは、顧客との対面式に構成されたカード発行機によって発行される。このカード発行機は、顧客が所定の金額を挿入することにより、挿入された金額が書き込まれたカードを発行したり、顧客が手持ちのカードを挿入することによりカードの残高金額を確認できたり、さらに、カード発行機に任意の金額を挿入してその値をカードに書き込むこともできる。
【０００４】
このようなカード発行機は、金属製の筐体内にカード発行機構や金銭取扱機構を収容し、正面にカードや金銭の挿入部を有する扉を設けた構成が一般的である。図４はこの扉と筐体との関係を示している。図において、筐体１は扉２の一側部をヒンジ３により回動可能に枢着しており、扉２はこのヒンジ３を中心として開閉動作する。扉２は、その周囲を奥行方向にほぼ直角に折り曲げた縁部２ａを有し、ヒンジ３の一片３ａは、この縁部２ａの内側に取り付けられ、他片３ｂは筐体１の対応する内側部分に取り付けられ、これら一片３ａ及び他片３ｂ間には枢軸３ｃが設けられている。
【０００５】
ここで、筐体１及び扉２は、共に鉄板製であり、かつ扉２の板面には、図示していないが、前述したように、顧客によるカードの挿入・取り出しや、紙幣の挿入などのための各種の器具が取り付けられているため、扉２は相当な重量となる。この扉２はその一側が前述のようにヒンジ３のみにより片持ち状態で支持されているため、開閉動作が繰り返されると自重により、ヒンジ３が取り付けられた縁部２ａが、図５で示すように変形してしまう。このため、図４で示すように、本来実線で示す状態にある扉２が、破線で示すように扉面前方及び下方に向って全体的に変形してガタが生じてしまう。
【０００６】
そこで、このような変形を防止するために、図６で示すように、扉２の縁部２ａの先端を内側にＵターン状に折り曲げ、扉２を補強することが考えられたが、充分なものではなく、やはりヒンジ３の取付け部分に変形が生じていた。
【特許文献１】特開平１１−２８４３５７号公報
【発明の開示】
【発明が解決しようとする課題】
【０００７】
このように、カード発行機のような、扉面に各種の器具が取り付けられ、扉自体が相当の重量になる装置については、扉のヒンジ取付け部分が変形してしまい、扉全体のガタ、変形発生の原因となっており、これまで特許文献１の技術を含め、有効なものはなかった。
【０００８】
本発明の目的は、扉のヒンジ取付け部分の変形を確実に防止し、扉全体のガタ、変形の発生を防止できる扉機構を提供することにある。
【課題を解決するための手段】
【０００９】
本発明の扉機構は、扉の一側を、ヒンジにより筐体に取り付け、この筐体の開放面を開閉可能に覆う扉機構であって、前記扉は、扉面の周囲に奥行方向に折り曲げられた縁部を有し、この縁部には前記ヒンジの一方のヒンジ片が取り付けられており、かつ、この縁部と扉面との間には、筋交い部材を取り付け、前記縁部と扉面とを二辺とし、筋交い部材を底辺とする三角断面を形成したことを特徴とする。
【００１０】
また、本発明では、筋交い部材は板状を成し、扉の上下方向に沿って設けられ、ヒンジ片取付け部との対向部には、このヒンジ片を避ける切欠きを形成し、ヒンジ片を三角断面内位置させるとよい。
【発明の効果】
【００１１】
本発明によれば、ヒンジ片が取り付けられた縁部と扉面との間に筋交い部材を取り付け、前記縁部と扉面とを二辺とし、筋交い部材を底辺とする三角断面を形成したことにより、縁部の強度を大幅に増大させたので、ヒンジ取付け部分が変形することはなく、扉全体の変形やガタの発生を防止することができる。
【発明を実施するための最良の形態】
【００１２】
以下、本発明による扉機構の一実施の形態について図面を用いて詳細に説明する。
【００１３】
はじめに、図３によって、本発明が適用されるカード発行機の外観構成を説明する。図において、１１は筐体で、内部にカード発行機構や金銭取扱機構が収容されており、その前面は扉１２により開閉可能に覆われている。このカード発行機は顧客との対面式に構成されており、顧客に対する表示・操作のために、筐体１１の前面上方の傾斜面には、タッチパネルなどの表示操作部１４及びコイン投入口１５が設けられている。また、前面の扉１２には、カード挿入・受取口１６、紙幣投入・受取口１７、領収書受取口１８、コイン取出口１９などが設けられている。
【００１４】
図１は、扉１２とヒンジ１３を介して扉を支持する筐体１１との関係を示す平面図であり、図２はその右側面図である。図１において、扉１２は、扉面１２ａの周囲を奥行方向に折り曲げた縁部１２ｂを有し、この縁部１２ｂには、ヒンジ１３の一方のヒンジ片１３ａが止めねじ２１ａで取り付けられている。ヒンジ１３の他方のヒンジ片１３ｂは筐体１１の内面に止めねじ２１ｂで取り付けられている。これらヒンジ片１３ａ，１３ｂ間にはこれらを回動可能に連結する枢軸１３ｃが設けられている。
【００１５】
２２は筋交い部材で、縁部１２ｂと扉面１２ｂとの間に、溶接などにより一体に取り付けられている。この筋交い部材２２は、縁部１２ｂと扉面１２ａとを二辺とする三角形の底辺となるもので、扉１２の縁部１２ａの上下方向に沿う三角断面を形成する。
【００１６】
ここで、筋交い部材２２は、図２で示すように、板状を成し、扉１２の上下方向（図２の左右方向）に沿って設けられる。そして、ヒンジ片１３ａの取付け部との対向部には、このヒンジ片１３ａを避ける切欠き２２ａ及び止めねじ２１ａの操作孔２２ｂが形成されている。この結果、ヒンジ片１３ａは、筋交い部材２２、縁部１２ｂ、扉面１２ａからなる三角断面内に位置することとなる。
【００１７】
上記構成において、扉１２のヒンジ１３を取り付ける縁部１２ｂに筋交い部材２２を設け、この筋交い部材２２と、扉の縁部１２ｂと、扉面１２ａの一部とで扉１２の上下方向に沿って三角断面を形成したので、縁部１２ｂの強度が著しく向上する。したがって、扉１２の自重がかなり重くても、この扉１２を片持ち支持するヒンジ１３の取付け部、すなわち、縁部１２ｂが、図５や図６で示した従来の縁部１２ａように変形することはない。
【００１８】
このように、ヒンジ１３を取り付ける扉１２の縁部１２ｂに筋交い部材２２を設け、三角断面を形成したので、この三角断面内にヒンジ１３の一片１３ａを取り付けることにより、この部分の強度が著しく向上して、自重による変形を防止でき、扉１２全体の変形やガタの発生を有効に防止することができる。
【００１９】
なお、筋交い部材２２は扉の上下方向に連続的に設けずに、ヒンジ片１３ａを避けて断続的に取り付けてもよい。このように構成しても強度は充分に向上し、扉１２の変形やガタの発生を防止できる。
【００２０】
また、上記実施の形態ではカード発行機を例にとって筐体と扉との関係を説明したが、もちろん本発明はカード発行機に限定されるものではなく、各種装置における扉機構に適用することができる。
【図面の簡単な説明】
【００２１】
【図１】本発明による扉機構の一実施の形態を示す平面図である。
【図２】図１の右側面図である。
【図３】本発明が適用されるカード発行機の外観構成を示す斜視図である。
【図４】従来の扉の変形状態を示しており、（ａ）は平面図、（ｂ）は正面図である。
【図５】従来の扉の縁部の変形状態を示す部分図である。
【図６】従来の扉の別の縁部の変形状態を示す部分図である。
【符号の説明】
【００２２】
１１    筐体
１２    扉
１２ａ    扉面
１２ｂ    縁部
１３    ヒンジ
１３ａ    一方のヒンジ片
２２    筋交い部材
２２ａ    切欠き
【図１】
2006019392.tif 000003
【図２】
2006019392.tif 000004
【図３】
2006019392.tif 000005
【図４】
2006019392.tif 000006
【図５】
2006019392.tif 000007
【図６】
2006019392.tif 000008